(57)【要約】      （修正有）【課題】ファスナーの固定部と小型器具の保持貫通孔との距離を短いものとして、ファスナー先端を容易に保持貫通孔を通過させることができ、小型器具をファスナー固定部付近で保持することのできる医療用サポータを提供する。【解決手段】サポータ部の表側の表面の中央部の任意の箇所に固定部を有し、固定部を中心にして筒状体方向であって双方向にそれぞれ筒状体の１／２以下の長さで延在し、携帯式行動量測定器のサポータ部の材料よりも固めで柔軟性のある材料で形成されたバンド部を有して該バンド部の一側のほぼ全表面であって、サポータ部に面する側の表面に固着された一方のマジックテープ（登録商標）およびサポータ部の表側の表面に固着され、一方のマジックテープと同等の長さと幅を備えて、一方のマジックテープと係合する他方のマジックテープから構成されるマジックテープ組み部と、から構成される。【選択図】図３
0003146698.tif 000002
【実用新案登録請求の範囲】
【請求項１】
伸縮性のある材料が用いられ、手首に着脱可能に嵌められる大きさの筒状体に形成されたサポータ部と、該サポータ部の表側の表面の中央部の任意の箇所に固定部を有し、該固定部を中心にして筒状体方向であって双方向にそれぞれ筒状体の１／２以下の長さで延在し、かつ人間に携帯されてその人間の行動量を測定する携帯式行動量測定器の任意の方向で両側に設けた保持用貫通孔を貫通する幅を備え、前記サポータ部の材料よりも固めで柔軟性のある材料で形成されたバンド部を有して、該バンド部の端部を除いて一側のほぼ全表面であって、前記サポータ部に面する側の表面に固着された一方のマジックテープおよび前記サポータ部の表側の表面に固着され、前記一方のマジックテープと同等の長さと幅を備えて、該一方のマジックテープと係合する他方のマジックテープから構成されるマジックテープ組み部と、から構成され、前記マジックテープ組み部を備えた前記サポータ部が手首に着用されるようにしたことを特徴とする医療用サポータ。
【請求項２】
請求項１に記載したサポータにおいて、前記一方のマジックテープが前記保持用貫通孔を貫通させられ、該一方のマジックテープが、他方のマジックテープに係合されることによって、前記携帯式行動量測定器を保持することを特徴とする医療用サポータ。
【考案の詳細な説明】
【技術分野】
【０００１】
本考案は、小型の医療用計測器具を取りつけたサポータに関する。
【背景技術】
【０００２】
小型の医療用計測器具を腕時計に使われるようなベルトに取りつけ、人間の行動量を測定するために手首に取りつけて携帯させることがある。
【０００３】
特許文献１には、スポーツ又は一般用のサポータに腕時計を固定するためのマジックテープ（クラレ（株）の登録商標）又はボタン止めの接続バンドを取りつけた腕時計用サポータバンドが記載されている。
【０００４】
特許文献２には、サポータの両側に、腕時計用のベルト通しをつけ、サポータの上から腕時計を装着できるようにした構造が記載されている。
【０００５】
特許文献３には、布地で作られたリストバンド上に伸縮性で帯状面ファスナーの一端を固定装着し、小型器具を取りつける構造が記載されている。
【０００６】
【特許文献１】実開昭６３−１７５９１３号公報
【特許文献２】実開平６−３７３２１号公報
【特許文献３】実用新案登録第３１３４００５号公報
【考案の開示】
【考案が解決しようとする課題】
【０００７】
従来、伸縮性のある円筒体に帯状の伸縮性のあるファスナーを縫着し、このファスナーに小型器具を取りつけてファスナーを円筒体の外周に巻回してファスナーの他端部をファスナー自身に着脱自在に装着することが知られている。しかしながら、ファスナーを巻回する形式にあっては、手首に取りつける時にファスナーを連続した小型器具の保持貫通孔を通さなければならず、手指の巧緻性の衰えた高齢者では２度目の保持貫通孔通過に失敗して小型器具を落下させるおそれがある。また、各種実験を行う実験者が実験の際に容器に測定用の小型機器を手首に取り付けることを要する場合がある。また、２本のファスナーを使用するような場合にあっても、各ファスナー固定部と保持貫通孔までの距離があるような場合においても各保持貫通孔を通過させることが容易ではないことがあり、また小型器具をファスナー固定部付近で保持しないと落下させるおそれがある。
【０００８】
本考案は、かかる点に鑑みてファスナーの固定部と小型器具の保持貫通孔との距離を短いものとして、ファスナー先端を容易に保持貫通孔を通過させることができ、小型器具をファスナー固定部付近で確実に保持することのできる医療用サポータを提供することを目的とする。
【課題を解決するための手段】
【０００９】
本考案は、伸縮性のある材料が用いられ、手首に着脱可能に嵌められる大きさの筒状体に形成されたサポータ部と、該サポータ部の表側の表面の中央部の任意の箇所に固定部を有し、該固定部を中心にして筒状体方向であって双方向にそれぞれ筒状体の１／２以下の長さで延在し、かつ人間に携帯されてその人間の行動量を測定する携帯式行動量測定器の任意の方向で両側に設けた保持用貫通孔を貫通する幅を備え、前記サポータ部の材料よりも固めで柔軟性のある材料で形成されたバンド部を有して、該バンド部の端部を除いて一側のほぼ全表面であって、前記サポータ部に面する側の表面に固着された一方のマジックテープおよび前記サポータ部の表側の表面に固着され、前記一方のマジックテープと同等の長さと幅を備えて、該一方のマジックテープと係合する他方のマジックテープから構成されるマジックテープ組み部と、から構成され、前記マジックテープ組み部を備えた前記サポータ部が手首に着用されるようにしたことを特徴とする医療用サポータを提供する。
【００１０】
本考案は、また、前記サポータにおいて、前記一方のマジックテープが一体として前記保持用貫通孔を貫通させられ、該一方のマジックテープが、他方のマジックテープに係合されることによって、前記携帯式行動量測定器を保持することを特徴とする医療用サポータを提供する。
【考案の効果】
【００１１】
本考案は、上述のようにバンド部とマジックテープからファスナーを形成し、１本のファスナーの中央部をサポート部に固着して双方向にそれぞれ筒状体の１／２以下の長さで延在するようにしているので、固着部と小型器具すなわち携帯式行動測定器との保持貫通孔の距離は短いものとされ、この保持貫通孔を通過させると直ちに他側のマジックテープに係合させることができるので、携帯式行動測定器とマジックテープとの間には空隙部がなく、携帯式行動測定器は固定部付近からしっかりと固定され、手指の巧緻性の衰えた高齢者があるいは実験者が実験の際に取り扱っても携帯式行動測定器を落下させるおそれがなくなった。
【考案を実施するための最良の形態】
【００１２】
以下、本考案の実施例を図面に基づいて説明する。
【実施例】
【００１３】
図１は、本考案の実施例である医療用サポータ１の構成を示す。図２は、医療用サポータ１の構成部品を示す。これらの図において、医療用サポータ１は、サポータ部２と、一方のマジックテープ３と、他方のマジックテープ４と、で構成される。
【００１４】
サポータ部２は、伸縮性のある布あるいは樹脂等の材料が用いられ、人間の手首に脱着可能に嵌めて装着される大きさの筒状体２Ａに形成される。筒状体２Ａの内部は手首が挿入される空胴部２Ｂとされ、サポータ部２を折りたためば空胴部２Ｂの空隙はなくなる。サポータ部２は、折りたたんだ時に、例えば９×９ｃｍ程の大きさで、両サイドは内側に折り返されて折り返し部が縫着される。
【００１５】
サポータ部２の表側の表面の中央部の任意の箇所に固定部６が設定される。後のステップでこの箇所に一方のマジックテープ３が固定される小域ということであって、特に認識のための印を設けておくことを要しない。この固定部に一方のマジックテープ３が固定される。一方のマジックテープ３は、サポータ部２の材料よりも固めで柔軟性のある材料で形成され、帯状体として形成される。バンド部３Ａを備え、バンド部３Ａの側端の端部を除いて、ほぼ一面の（図では表側の表面）全域に亘って、すなわちほぼ表面全域に亘ってマジックテープ部３Ｂが形成される。このようなマジックテープは市販されている。マジックテープ部３Ｂを備えたバンド部４Ａをファスナーと呼ぶ場合もあり、本実施例のマジックテープはファスナーを含む概念で使用する。一方のマジックテープ３は、例えば長さ１４ｃｍ×幅２ｃｍとされる。幅は、人間に携帯されてその人間の行動量を測定する後述の小型測定器、すなわち携帯式行動量測定器に設けられた保持用貫通孔の孔幅に対応し、この孔幅よりもわずかに狭めるようにして設定されればよい。
【００１６】
他方のマジックテープ４も一方のマジックテープ３と同様に、バンド部４Ａの側端を除いて、ほぼ一面の（図では裏側の表面）全域に亘って、すなわちほぼ表面全域に亘ってマジックテープ部４Ｂが形成される。従って、他方のマジックテープ４は、一方のマジックテープ３と同等幅の長さと幅を備える。携帯式行動量測定器を取り付けていない時には両者は双方の全面において、係合し、しっかりと固定し得る。
【００１７】
一方のマジックテープ３と、これに係合することのできる他方のマジックテープ４とによってマジックテープ組み部１０が構成される。
【００１８】
携帯式行動量測定器５は、医療の現場において、患者に携帯させ、その患者の一日の行動量を計測する小型の計測装置であり、任意の方向で両側に設けた保持用貫通孔１１，１１Ａを備える。この場合に、任意の方向とは取り付け前の場合における方向を示し、使用時に当ってはマジックテープ４の帯状長手方向ということになる。この携帯式行動量測定器５は、人間のサーカディアンリズムと密接に関係ある光の量を計測する。従って、この携帯式行動量測定器５としてアクティビティに加えて実験者が浴びている光の量を計測することができるものが使用され得る。
【００１９】
以上の構成部品が準備されて、一方のマジックテープ３は、そのバンド部３Ａがサポータ部２の表側の表面上に接触するようになされ、マジックテープ部３Ｂのない側端を利用した縫者１２によって全面がサポータ部２に固着される。
【００２０】
この場合に、一方のマジックテープ３は、固定部６を包含するものとする。次に、他方のマジックテープ４を一方のマジックテープ３に合わせ、位置させ、固定部６において他方のマジックテープ４の一部を一方のマジックテープ３上に縫着１３によって固定する。この場合に、他方のマジックテープ４は、固定部６を中心にして筒状体方向（周方向）であって、双方向にそれぞれ筒状体２Ａの１／２以下の長さに設定され、この長さで延在するようにして固定される。これ以上の長さにしてもよいが無駄の長さとなる。従って、固着した段階では、他方のマジックテープ４は、固定箇所を中心にして固定され、両側は双方向にフリーな状態となる。
【００２１】
この状態で、固定部６に固着され、両側のフリーの帯状体の一方を裏側から表側へと携帯式行動量測定器５の保持用貫通孔１１又は、１１Ａを貫通させる。表側に出てフリーの状態の片側帯状体の他方のマジックテープ４をサポータ部２に固着された一方のマジックテープ３に係合させ、保持する。他方側についても同様にして保持用貫通孔１１Ａ又は１１を貫通させ、表側に出てフリーの状態の片側帯状体の他方マジックテープ４を一方のマジックテープ３に係合させ、保持する。このようにして、図３に示すように、携帯式行動量測定器５は、一方のマジックテープ３と他方のマジックテープ４との組み合せになるマジックテープ組み部１０によってサポータ１に保持されることになる。
【００２２】
この場合に重要なことは、帯状の一方のマジックテープ３の全体が帯状に筒状体に固着されることであり、他方のマジックテープ４が一方のマジックテープ３と同形にされて中央部の一部のみを固着されて双方向に帯状に筒状体上に配設され得ることであり、この構成によると、中央部を固着された他方のマジックテープ４の一方側を近接した位置にある保持用貫通孔を貫通させることができ、貫通後直ちに一方のマジックテープ３に係合させることができることである。この構成によれば一方のマジックテープ３と他方のマジックテープ４との間には遊び、すなわち間隙が生じないから携帯式行動量測定器５をしっかりとサポータ１に固定することができる。この構成であれば、手指の巧緻性の衰えた高齢者であっても実験中の実験者であっても、サポータ１を着用する時に、他方のマジックテープ４を外方に向けて保持用貫通させるだけであるので、取り扱いが容易であり、取り付け後に携帯式行動量測定器５の落下を心配しないで済む。また、この構成によればサポータ１に２つの部品のみで容易にマジックテープ組み部１０を構成することができる。
【００２３】
図４は、携帯式行動量測定器５をサポータ１に装着して後に、実験者がリストバンド方式のサポータ１を手首２０に通すだけで着用を完了した図を示す。携帯式行動量測定器５を、サポータ１を手首に着用した後に装着するようにしてもよい。なお、図３および図４に示す例にあっては、携帯式行動量測定器５はマジックテープ組み部１０の幅よりも大きな幅のものが使用されているが、それぞれマジックテープ３，４の幅と同等あるいはそれよりも幅の狭いものを使用するようにしてもよいし、望ましいことである。
【００２４】
従来、実験者が長袖を着用した場合、袖が携帯式行動量測定器を覆ってしまい、光をキャッチする窓が隠れてしまい、サーカディアンリズムを探るための、光環境の測定が妨げられる事態があったが、本考によればサポータを使用し、サポータが伸縮性を有しているので、長袖の上にサポータを着用することが可能となった。このようにすれば、袖で光の窓が妨げられることがない。
【図面の簡単な説明】
【００２５】
【図１】本考案の実施例の構成を示す図。
【図２】本考案の実施例の構成部品を示す図。
【図３】本考案の実施例に携帯式行動量測定器を着した図。
【図４】本考案の実施例の使用例を示した図。
【符号の説明】
【００２６】
１…サポータ，２…サポータ部，３…一方のマジックテープ，３Ａ…バンド部，３Ｂ…マジックテープ部，４…他方のマジックテープ，４Ａ…バンド部，４Ｂ…マジックテープ部，５…携帯式行動量測定器（小型機器），６…固定部，１０…マジックテープ組み部，１２，１３…縫着。
【図１】
0003146698.tif 000003
【図２】
0003146698.tif 000004
【図３】
0003146698.tif 000005
【図４】
0003146698.tif 000006